(57)【要約】【課題】  立体的なＸ線画像を得る歯科用口腔内Ｘ線撮影装置。【解決手段】  Ｘ線装置を使った撮影時に、咬合によって保持される保定基板を備える。保定基板の口腔内に挿入される部分の端部に設けられ、Ｘ線受光部を保持する受光体保持部を備える。受光体保持部と対向する位置に保定基板を介して設けられ、保定基板の上方から見て、基準線から第２距離だけ離れ、撮像面から第１距離だけ離れた第１位置に第１Ｘ線源が配置され、基準線を対称軸にして第１位置と線対称な第２位置に第２Ｘ線源が配置されるように、第１Ｘ線源と第２Ｘ線源とを含む第２Ｘ線装置を位置決めするために使用される第２案内部を備える。第１案内部、第２案内部は、保定基板から着脱による取り替え可能な状態で、保定基板に保持される。【選択図】図２
2012026065.tif 000002
【特許請求の範囲】
【請求項１】
Ｘ線装置を使った撮影時に、撮影対象歯牙又は他の歯牙が咬合することによって保持される保定基板と、
前記撮影時に、前記保定基板の口腔内に挿入される部分の端部に設けられ、Ｘ線撮像素子を有するＸ線受光部を保持する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含む第１Ｘ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に第１Ｘ線源が配置され、前記基準線を対称軸にして前記第１位置と線対称な第２位置に第２Ｘ線源が配置されるように、前記第１Ｘ線源と前記第２Ｘ線源とを含む第２Ｘ線装置を位置決めするために使用される第２案内部とを備え、
前記第１案内部、前記第２案内部は、前記保定基板から着脱による取り替え可能な状態で、前記保定基板に保持されることを特徴とする歯科用口腔内Ｘ線撮影装置。
【請求項２】
前記保定基板に保持され、前記Ｘ線受光部で得られたＸ線画像を表示する表示部を更に備え、
前記第１案内部が前記保定基板に保持されている場合は、前記Ｘ線源から前記Ｘ線受光部に向けてＸ線の照射が行われている間に、前記Ｘ線受光部は撮像動作を行い、前記表示部は、前記撮像動作で得られたＸ線画像を表示し、
前記第２案内部が前記保定基板に保持されている場合は、前記第１Ｘ線源から前記Ｘ線受光部に向けてＸ線の照射が行われている間に、前記Ｘ線受光部は第１撮像動作を行い、前記第２Ｘ線源から前記Ｘ線受光部に向けてＸ線の照射が行われている間に、前記Ｘ線受光部は第２撮像動作を行い、前記表示部は、前記第１撮像動作で得られた第１Ｘ線画像と前記第２撮像動作で得られた第２Ｘ線画像とを組みあわせて表示することを特徴とする請求項１に記載の歯科用口腔内Ｘ線撮影装置。
【請求項３】
歯牙の咬合による前記保定基板の保持に代えて、前記保定基板と前記受光体保持部の少なくとも一方が、ユニバーサルジョイントを介した指示棒によって、保持されることを特徴とする請求項１に記載の歯科用口腔内Ｘ線撮影装置。
【請求項４】
前記受光体保持部は、前記保定基板の口腔内に挿入される部分の端部において、前記保定基板とのなす角度が変更可能な状態で前記保定基板に保持され、
前記保定基板は、前記角度に関する情報を表示する角度表示部を有し、
前記角度表示部は、前記受光体保持部が口腔内に挿入された時に、前記角度に関する情報が口腔外に見える位置に設けられ、
前記第１案内部と前記第２案内部は、前記角度に関する情報に対応した前記Ｘ線照射口の位置決め用目印を二以上含む位置決め部を有することを特徴とする請求項１に記載の歯科用口腔内Ｘ線撮影装置。
【請求項５】
前記二以上の位置決め用目印のうち、前記角度に関する情報に対応する位置決め用目印に合わせて前記第１Ｘ線装置を設置した場合に、前記Ｘ線源から出射されるＸ線束の中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられ、
前記二以上の位置決め用目印のうち、前記角度に関する情報に対応する位置決め用目印に合わせて前記第２Ｘ線装置を設置した場合に、前記第１Ｘ線源から出射されるＸ線束の第１中心軸、及び前記第２Ｘ線源から出射されるＸ線束の第２中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられることを特徴とする請求項４に記載の歯科用口腔内Ｘ線撮影装置。
【請求項６】
前記保定基板は、前記Ｘ線受光部に電力を供給する太陽電池と、制御信号の受信や前記Ｘ線受光部で得られた画像信号の送信を行う通信部とを有し、
前記太陽電池の受光部は、前記撮影時に被験者の口腔内に挿入されない領域に配置されることを特徴とする請求項１に記載の歯科用口腔内Ｘ線撮影装置。
【請求項７】
前記受光体保持部の上面及び前面の上部は、ゴムで構成されることを特徴とする請求項１に記載の歯科用口腔内Ｘ線撮影装置。
【請求項８】
前記保定基板は、咬合時に前記撮影対象歯牙と対向する位置に孔部、または切り欠き部を有し、
前記保定基板は、前記他の歯牙が咬合することにより保持されることを特徴とする請求項１に記載の歯科用口腔内Ｘ線撮影装置。
【請求項９】
Ｘ線装置を使った撮影時に、撮影対象歯牙又は他の歯牙が咬合することによって保持される保定基板と、
前記撮影時に、前記保定基板の口腔内に挿入される部分の端部に設けられ、Ｘ線撮像素子を有するＸ線受光部を内蔵する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含むＸ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に前記Ｘ線源が配置されるように、前記Ｘ線装置を位置決めするために使用される第２案内部とを備え、
前記第１案内部、前記第２案内部は、前記保定基板から着脱による取り替え可能な状態で、前記保定基板に保持され、
前記第２案内部は、前記基準線を対称軸にして前記第１位置と線対称な第２位置に前記Ｘ線源が配置されるように、前記Ｘ線装置を位置決めするためにも使用されることを特徴とする歯科用口腔内Ｘ線撮影装置。
【請求項１０】
第１Ｘ線源と、
前記第１Ｘ線源と離れた位置にある第２Ｘ線源とを備え、
前記第１Ｘ線源から出射されたＸ線束の第１中心軸と、前記第２Ｘ線源から出射されたＸ線束の第２中心軸とが、前記第１Ｘ線源、及び前記第２Ｘ線源から第１距離だけ離れた位置で交差するように、前記第１Ｘ線源と前記第２Ｘ線源が配置され、
前記第１Ｘ線源によるＸ線の照射と、前記第２Ｘ線源によるＸ線の照射とが順に行われることを特徴とする歯科用口腔内Ｘ線撮影に使用されるＸ線装置。
【請求項１１】
前記第１Ｘ線源がＸ線を出射している状態と、前記第２Ｘ線源がＸ線を出射している状態とを識別可能な情報を出力する出力部を更に備えることを特徴とする請求項１１に記載のＸ線装置。
【請求項１２】
保定基板と、
Ｘ線装置を使った撮影時に、前記保定基板の口腔内に挿入される部分の端部に設けられ、Ｘ線撮像素子を有するＸ線受光部を保持する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含む第１Ｘ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に第１Ｘ線源が配置され、前記基準線を対称軸にして前記第１位置と線対称な第２位置に第２Ｘ線源が配置されるように、前記第１Ｘ線源と前記第２Ｘ線源とを含む第２Ｘ線装置を位置決めするために使用される第２案内部とを備え、
前記第１案内部、前記第２案内部は、前記保定基板から着脱による取り替え可能な状態で、前記保定基板に保持されることを特徴とする歯科用口腔内Ｘ線撮影装置。
【請求項１３】
前記保定基板と前記受光体保持部の少なくとも一方が、ユニバーサルジョイント又はボールジョイントを介した指示棒によって、保持されることを特徴とする請求項１２に記載の歯科用口腔内Ｘ線撮影装置。
【発明の詳細な説明】
【技術分野】
【０００１】
本発明は、歯科用口腔内Ｘ線撮影装置に関し、特に立体的なＸ線画像を得ることが可能な歯科用口腔内Ｘ線撮影装置に関する。
【背景技術】
【０００２】
特許文献１のように、Ｘ線装置を使った歯牙の撮影において使用される歯科用口腔内Ｘ線補助具（インジケータ）が提案されている。歯科用口腔内Ｘ線補助具は、平板状の保定基板と、撮影時に保定基板の口腔内に挿入される部分の端部に設けられ且つＸ線撮像素子を含むＸ線受光部が装着される受光体保持部と、保定基板を介して受光体保持部と対向する位置に設けられ、Ｘ線照射口を位置決めするために使用される案内部（リング）とを備える。
【先行技術文献】
【特許文献】
【０００３】
【特許文献１】特開２００４−１７４１６２号公報
【発明の概要】
【発明が解決しようとする課題】
【０００４】
しかし、Ｘ線受光部の正面にＸ線装置が配置された状態で撮影されたＸ線画像を得る形態であり、立体的なＸ線画像を得ることは出来ない。【０００５】
したがって本発明の目的は、立体的なＸ線画像を得ることが可能な歯科用口腔内Ｘ線撮影装置またはそのＸ線装置を提供することである。
【課題を解決するための手段】
【０００６】
本発明に係る歯科用口腔内Ｘ線撮影装置は、Ｘ線装置を使った撮影時に、撮影対象歯牙又は他の歯牙が咬合することによって保持される保定基板と、撮影時に、保定基板の口腔内に挿入される部分の端部に設けられ、Ｘ線撮像素子を有するＸ線受光部を保持する受光体保持部と、受光体保持部と対向する位置に保定基板を介して設けられ、保定基板の上方から見て、Ｘ線受光部の撮像面の中心を通り、撮像面に垂直な基準線上にあって、撮像面から第１距離だけ離れた位置にＸ線源が配置されるように、Ｘ線源を含む第１Ｘ線装置を位置決めするために使用される第１案内部と、受光体保持部と対向する位置に保定基板を介して設けられ、保定基板の上方から見て、基準線から第２距離だけ離れ、撮像面から第１距離だけ離れた第１位置に第１Ｘ線源が配置され、基準線を対称軸にして第１位置と線対称な第２位置に第２Ｘ線源が配置されるように、第１Ｘ線源と第２Ｘ線源とを含む第２Ｘ線装置を位置決めするために使用される第２案内部とを備え、第１案内部、第２案内部は、保定基板から着脱による取り替え可能な状態で、保定基板に保持される。【０００７】
保定基板が保持し、Ｘ線装置の照射口の位置決めのために使用される２種類の案内リング（第１案内部、第２案内部）が、保定基板に、着脱による取り替え可能な状態で、保持される。【０００８】
第１案内部（リング）が取り付けられた場合には、第１案内部に沿って第１Ｘ線装置を配置することにより、Ｘ線受光部の撮像面に対してほぼ正面に第１Ｘ線装置の照射口を位置させることが可能になる。【０００９】
第２案内部（リング）が取り付けられた場合には、第２案内部に沿って第２Ｘ線装置を配置することにより、Ｘ線受光部の撮像面に対して斜め前方の２個所に第２Ｘ線装置の第１照射口と第２照射口を位置させることが可能になる。【００１０】
また、第１Ｘ線源から出射されたＸ線に基づくＸ線画像と、第２Ｘ線源から出射されたＸ線に基づくＸ線画像とを重ね合わせて表示したものとを、偏光眼鏡などを使って観察したり、並べて表示したものを観察したりすることにより、立体的なＸ線画像を観察することが可能になる。【００１１】
好ましくは、保定基板に保持され、Ｘ線受光部で得られたＸ線画像を表示する表示部を更に備え、第１案内部が保定基板に保持されている場合は、Ｘ線源からＸ線受光部に向けてＸ線の照射が行われている間に、Ｘ線受光部は撮像動作を行い、表示部は、撮像動作で得られたＸ線画像を表示し、第２案内部が保定基板に保持されている場合は、第１Ｘ線源からＸ線受光部に向けてＸ線の照射が行われている間に、Ｘ線受光部は第１撮像動作を行い、第２Ｘ線源からＸ線受光部に向けてＸ線の照射が行われている間に、Ｘ線受光部は第２撮像動作を行い、表示部は、第１撮像動作で得られた第１Ｘ線画像と第２撮像動作で得られた第２Ｘ線画像とを組みあわせて表示する。【００１２】
Ｘ線受光部で得られたＸ線画像は、パソコンのモニターでも表示されるが、保定基板に保持された表示部を使うことにより、被験者に近い所で、被験者の撮影対象歯牙の撮像結果を見ることが可能になる。特に、画像処理で得られたＸ線画像を、一部が被験者の口腔内に挿入された歯科用口腔内Ｘ線撮影装置の表示部に表示することが出来るため、パソコンのモニターで表示する形態に比べて、被験者や撮影対象歯牙を取り違える可能性を低くすることが出来る。【００１３】
また、好ましくは、歯牙の咬合による保定基板の保持に代えて、保定基板と受光体保持部の少なくとも一方が、ユニバーサルジョイントを介した指示棒によって、保持される。【００１４】
咬合をうまく行えない被験者でも、歯科用口腔内Ｘ線撮影装置を口腔内に維持することが可能になる。【００１５】
また、好ましくは、受光体保持部は、保定基板の口腔内に挿入される部分の端部において、保定基板とのなす角度が変更可能な状態で保定基板に保持され、保定基板は、該角度に関する情報を表示する角度表示部を有し、角度表示部は、受光体保持部が口腔内に挿入された時に、該角度に関する情報が口腔外に見える位置に設けられ、第１案内部と第２案内部は、該角度に関する情報に対応したＸ線照射口の位置決め用目印を二以上含む位置決め部を有する。【００１６】
さらに好ましくは、二以上の位置決め用目印のうち、該角度に関する情報に対応する位置決め用目印に合わせて第１Ｘ線装置を設置した場合に、Ｘ線源から出射されるＸ線束の中心軸が、保定基板の側方から見て、Ｘ線受光部の撮像面を含む面と撮影対象歯牙の歯軸との二等分面に略垂直にすることが出来るように、二以上の位置決め用目印が位置決め部に設けられ、二以上の位置決め用目印のうち、角度に関する情報に対応する位置決め用目印に合わせて第２Ｘ線装置を設置した場合に、第１Ｘ線源から出射されるＸ線束の第１中心軸、及び第２Ｘ線源から出射されるＸ線束の第２中心軸が、保定基板の側方から見て、Ｘ線受光部の撮像面を含む面と撮影対象歯牙の歯軸との二等分面に略垂直にすることが出来るように、二以上の位置決め用目印が位置決め部に設けられる。【００１７】
基準位置（例えば、保定基板）に一番近い目印線に対応する位置決め部の位置決め用目印に合わせて、第１Ｘ線装置を配置すれば、第１Ｘ線装置のＸ線源から出射されるＸ線束の中心軸が、側方から見て、受光体保持部に内蔵されたＸ線受光部の撮像面を含む面と撮影対象歯牙の歯軸との二等分面に略垂直にすることが出来、二等分面撮影法により、実長に近い状態で撮影対象歯牙のＸ線画像を得ることが可能になる。【００１８】
また、基準位置（例えば、保定基板）に一番近い目印線に対応する位置決め部の位置決め用目印に合わせて、第２Ｘ線装置を配置すれば、第２Ｘ線装置の第１Ｘ線源や第２Ｘ線源から出射されるＸ線束の中心軸（第１中心軸、第２中心軸）が、側方から見て、受光体保持部に保持（内蔵）されたＸ線受光部の撮像面を含む面と撮影対象歯牙の歯軸との二等分面に略垂直にすることが出来、二等分面撮影法により、実長に近い状態で撮影対象歯牙のＸ線画像を得ることが可能になる。【００１９】
また、好ましくは、保定基板は、Ｘ線受光部に電力を供給する太陽電池と、制御信号の受信やＸ線受光部で得られた画像信号の送信を行う通信部とを有し、太陽電池の受光部は、撮影時に被験者の口腔内に挿入されない領域に配置される。【００２０】
保定基板には、被験者の口腔内に挿入されない領域に、太陽電池の受光パネルを配置することが可能であり、Ｘ線撮影は室内照明光が点灯した状態で行われることが多いため、該照明光を使った発電に基づいて、Ｘ線受光部や表示部に電力を供給することは可能である。特に、Ｘ線撮影では、撮影前後だけ、Ｘ線撮像素子を駆動したり、表示部の画像表示を行ったりすれば良いため、デジタルカメラのライブビュー表示や測光、測距動作のように、撮影時以外に電力消費を行う必要性が少なく、照明光によって発電された電力を二次電池などに蓄電せずに、Ｘ線撮像素子などを駆動することが出来る。【００２１】
太陽電池などの発電装置を使った場合には、交流電源を用いずに、Ｘ線撮像素子などへ電力供給が出来るため、交流電源を使い直流に変換した後にＸ線撮像素子などへ電力供給する形態に比べてノイズ重畳を抑えることも可能になる。【００２２】
また、画像信号の送信、制御信号の送信が、ケーブルを介さずに、Ｂｌｕｅｔｏｏｔｈなどの無線によって行われると、歯科用口腔内Ｘ線撮影装置と画像処理装置（またはパソコン）との間にケーブルを介さない信号送受信が可能になる。【００２３】
また、好ましくは、受光体保持部の上面及び前面の上部は、ゴムで構成される。【００２４】
これにより、かかる部分が硬い素材で出来ている場合に比べて、口蓋と接触することによる被験者の痛みを和らげることが可能になる。【００２５】
また、好ましくは、保定基板は、咬合時に撮影対象歯牙と対向する位置に孔部、または切り欠き部を有し、保定基板は、他の歯牙が咬合することにより保持される。【００２６】
リーマーを取り付けた状態では、撮影対象歯牙で保定基板を咬合することが出来ないため、リーマーを避けるように、咬合時に撮影対象歯牙と対向する位置に切り欠き部（又は孔部）を設け、他の歯牙で咬合させるようにする形態も考えられる。【００２７】
本発明に係る歯科用口腔内Ｘ線撮影装置は、Ｘ線装置を使った撮影時に、撮影対象歯牙又は他の歯牙が咬合することによって保持される保定基板と、撮影時に、保定基板の口腔内に挿入される部分の端部に設けられ、Ｘ線撮像素子を有するＸ線受光部を内蔵する受光体保持部と、受光体保持部と対向する位置に保定基板を介して設けられ、保定基板の上方から見て、Ｘ線受光部の撮像面の中心を通り、撮像面に垂直な基準線上にあって、撮像面から第１距離だけ離れた位置にＸ線源が配置されるように、Ｘ線源を含むＸ線装置を位置決めするために使用される第１案内部と、受光体保持部と対向する位置に保定基板を介して設けられ、保定基板の上方から見て、基準線から第２距離だけ離れ、撮像面から第１距離だけ離れた第１位置にＸ線源が配置されるように、Ｘ線装置を位置決めするために使用される第２案内部とを備え、第１案内部、第２案内部は、保定基板から着脱による取り替え可能な状態で、保定基板に保持され、第２案内部は、基準線を対称軸にして第１位置と線対称な第２位置にＸ線源が配置されるように、Ｘ線装置を位置決めするためにも使用される。【００２８】
Ｘ線源を１つ有する第１Ｘ線装置を使い、第２案内部（リング）の一方の側部の位置決め部における位置決め用目印に第１Ｘ線装置を合わせた状態で第１三次元撮像動作を行い、第２案内部の他方の側部の位置決め部における位置決め用目印に第１Ｘ線装置のを合わせた状態で第２三次元撮像動作を行う形態であってもよい。【００２９】
本発明に係る歯科用口腔内Ｘ線撮影装置に使用されるＸ線装置は、第１Ｘ線源と、第１Ｘ線源と離れた位置にある第２Ｘ線源とを備え、第１Ｘ線源から出射されたＸ線束の第１中心軸と、第２Ｘ線源から出射されたＸ線束の第２中心軸とが、第１Ｘ線源、及び第２Ｘ線源から第１距離だけ離れた位置で交差するように、第１Ｘ線源と第２Ｘ線源が配置され、第１Ｘ線源によるＸ線の照射と、第２Ｘ線源によるＸ線の照射とが順に行われる。【００３０】
異なる位置からのＸ線照射により、異なるＸ線画像を得ることが可能になり、これらのＸ線画像を組みあわせることにより立体的なＸ線画像を観察することが可能になる。Ｘ線束の軸が第１距離だけ離れた位置で交差するように、それぞれのＸ線源の向きを調整し、かかる交差位置に撮像面が来るようにして撮像すれば、撮像面から離れた所に不必要にＸ線が照射される可能性を低くすることも可能になる。【００３１】
好ましくは、第１Ｘ線源がＸ線を出射している状態と、第２Ｘ線源がＸ線を出射している状態とを識別可能な情報を出力する出力部を更に備える。【００３２】
例えば、第１Ｘ線源のＸ線出射と第２Ｘ線源のＸ線出射とを外部から識別出来るような表示部材（不図示）や、第２Ｘ線装置とパソコン（または画像処理装置）にかかる情報を出力する信号送信部材が考えられる。信号送信部材を使った場合には、パソコン（または画像処理装置）が、第１Ｘ線源や第２Ｘ線源のＸ線出射が行われているか否かを認識し、パソコン（または画像処理装置）が、第１三次元撮像動作や第２三次元撮像動作のタイミングの制御が行えるメリットがある。【００３３】
本発明に係る歯科用口腔内Ｘ線撮影装置は、保定基板と、Ｘ線装置を使った撮影時に、保定基板の口腔内に挿入される部分の端部に設けられ、Ｘ線撮像素子を有するＸ線受光部を保持する受光体保持部と、受光体保持部と対向する位置に保定基板を介して設けられ、保定基板の上方から見て、Ｘ線受光部の撮像面の中心を通り、撮像面に垂直な基準線上にあって、撮像面から第１距離だけ離れた位置にＸ線源が配置されるように、Ｘ線源を含む第１Ｘ線装置を位置決めするために使用される第１案内部と、受光体保持部と対向する位置に保定基板を介して設けられ、保定基板の上方から見て、基準線から第２距離だけ離れ、撮像面から第１距離だけ離れた第１位置に第１Ｘ線源が配置され、基準線を対称軸にして第１位置と線対称な第２位置に第２Ｘ線源が配置されるように、第１Ｘ線源と第２Ｘ線源とを含む第２Ｘ線装置を位置決めするために使用される第２案内部とを備え、第１案内部、第２案内部は、保定基板から着脱による取り替え可能な状態で、保定基板に保持される。【００３４】
好ましくは、保定基板と受光体保持部の少なくとも一方が、ユニバーサルジョイント又はボールジョイントを介した指示棒によって、保持される。
【発明の効果】
【００３５】
以上のように本発明によれば、立体的なＸ線画像を得ることが可能な歯科用口腔内Ｘ線撮影装置またはそのＸ線装置を提供することができる。
【図面の簡単な説明】
【００３６】
【図１】本実施形態における第１案内リングが取り付けられた場合の歯科用口腔内Ｘ線撮影装置の斜視図である。
【図２】本実施形態における第２案内リングが取り付けられた場合の歯科用口腔内Ｘ線撮影装置の斜視図である。
【図３】第２案内リングが取り付けられた場合の歯科用口腔内Ｘ線撮影装置、及び第２Ｘ線装置の構成を示す側面図である。
【図４】ユニバーサルジョイント（又はボールジョイント）を介した指示棒によって保定基板が保持された歯科用口腔内Ｘ線撮影装置、及び第２Ｘ線装置の構成を示す側面図である。
【図５】第１Ｘ線装置の斜視図である。
【図６】第２Ｘ線装置の斜視図である。
【図７】第１案内リングが取り付けられた場合の歯科用口腔内Ｘ線撮影装置、及び第１Ｘ線装置の構成を、保定基板の上方から見た図である。
【図８】第２案内リングが取り付けられた場合の歯科用口腔内Ｘ線撮影装置、及び第２Ｘ線装置の構成を、保定基板の上方から見た図である。
【図９】ユニバーサルジョイント（又はボールジョイント）を介した指示棒によって受光体保持部が保持された歯科用口腔内Ｘ線撮影装置、及び第２Ｘ線装置の構成を示す側面図である。
【発明を実施するための形態】
【００３７】
以下、本実施形態における歯科用口腔内Ｘ線撮影装置の構成について、図を用いて説明する。本実施形態に係る歯科用口腔内Ｘ線撮影装置１は、保定基板１０、受光体保持部２０、第１案内リング（案内部）３０ａ、第２案内リング（案内部）３０ｂ、及び表示部４０を備える（図１、図２参照）、これらが、歯科用口腔内Ｘ線撮影補助具（インジケータ）を構成する。
【００３８】
次に、各部の詳細について説明する。保定基板１０は、平板状に形成された本体部１１、回転軸１２、角度表示部１３、ガイド保持部１５を有する。本実施形態では、保定基板１０の本体部１１が、奥歯の撮影用に、上から見て略Ｌ字形状を有する形態を説明するが、前歯の撮影用に、直線形状を有する形態であってもよい（不図示）。
【００３９】
回転軸１２は、角度表示部１３、及び受光体保持部２０と接続されており、受光体保持部２０の回転軸１２を中心とした回転運動は、回転軸１２を介して角度表示部１３に伝達され、角度表示部１３を回転させる。同様に、角度表示部１３の回転軸１２を中心とした回転運動は、回転軸１２を介して受光体保持部２０に伝達され、受光体保持部２０を回転させる。
【００４０】
角度表示部１３は、受光体保持部２０が口腔内に挿入された時にも口腔外から見えるように、保定基板１０の本体部１１の口腔内に挿入されない部分に取り付けられ、円柱形状を有しており、該円柱形状の筒状部分（側面）や天面には、受光体保持部２０と保定基板１０の本体部１１とのなす角度θに関連する情報として、複数の目印線を含む目盛り１４が付されている。
【００４１】
本実施形態では、角度θに関連する情報として、目盛り１４が７つの目印線が付されたものを使って説明する。図１、図２では、６つの目印線が保定基板１０の本体部１１の上面から突出した位置にあり、１つの目印線が本体部１１に隠れている状態を示す。各目印線は区別がつきやすい様に、異なる色、異なる文字などの表記がなされる。
【００４２】
目盛り１４と保定基板１０の本体部１１との位置関係に基づいて、すなわち、基準位置（例えば、保定基板１０の本体部１０の上面）と最も近い目印線に基づいて、口腔内に挿入されて見えない受光体保持部２０と保定基板１０の本体部１１とのなす角度θに関する情報を読み取ることが可能になり、後述する第１案内リング３０ａの位置決め部３１における第１Ｘ線装置５０ａや、第２案内リング３０ｂの位置決め部３１における第２Ｘ線装置５０ｂを配置する際の位置合わせに使用される。
【００４３】
ガイド保持部１５は、保定基板１０の本体部１１の口腔内に挿入されない部分の端部に取り付けられ、第１案内リング３０ａ、または第２案内リング３０ｂを着脱可能な状態で保持する。
【００４４】
受光体保持部２０は、Ｘ線撮像素子を有するＸ線受光部２５や基準スケール２６を内蔵する板状部材であり、保定基板１０の本体部１１の口腔内に挿入される部分の端部に設けられ、Ｘ線装置５０からのＸ線の入射角を調整するために、回転軸１２を中心に回転可能な状態で保持される。
【００４５】
口腔内の口蓋と接触する箇所、すなわち受光体保持部２０の上面及び前面の上部は、ゴムなど比較的柔らかい材質で構成されるのが望ましい。これにより、かかる部分が硬い素材で出来ている場合に比べて、口蓋と接触することによる被験者の痛みを和らげることが可能になる。受光体保持部２０と、Ｘ線受光部２５とが、別体の場合には、両者の上部の素材を吟味する必要があるが、受光体保持部２０がＸ線受光部２５を内蔵する場合には、受光体保持部２０の上部の素材だけを考慮すれば、口蓋と接触することによる被験者の痛みを和らげることが可能になる。
【００４６】
Ｘ線受光部２５は、Ｘ線を可視光に変換するシンチレータ、該可視光を電荷に変換するＣＣＤなどのＸ線撮像素子を有する。基準スケール２６は、一定長さの線分と、該線分上に１ｍｍ単位など一定間隔の目盛りを有し、Ｘ線を通さない材料で構成され、Ｘ線受光部２５の撮像面の前（Ｘ線装置５０とＸ線受光部２５との間）に配置される。Ｘ線受光部２５への電力供給、信号送受信は、フレキシブル基板を介して、保定基板１０の本体部１１の内部に配線され、ケーブル１６を介して外部の画像処理装置６０やパソコン７０と接続される。図３、図４、図７、図８は、ケーブル１６を省略している。
【００４７】
画像処理装置６０は、Ｘ線受光部２５で得られた画像信号に画像処理を施し、パソコン７０のモニターや保定基板１０に取り付けられた表示部４０で表示可能な画像データに変換する。
【００４８】
第１Ｘ線装置５０ａまたは第２Ｘ線装置５０ｂを使った撮影時は、保定基板１０の一部、及びＸ線受光部２５が内蔵された受光体保持部２０が、被験者の口腔内に挿入され、撮影対象歯牙の歯軸と保定基板１０とが垂直になるような状態で、保定基板１０が被験者の撮影対象歯牙又は他の歯牙の咬合によって保持される。このとき、角度表示部１３、ガイド保持部１５、ガイド保持部１５に保持された第１案内リング３０ａ（または第２案内リング３０ｂ）、表示部４０は、口腔外に位置する。但し、撮影対象歯牙の歯軸と保定基板１０とのなす角度は垂直で無くても良い。
【００４９】
なお、撮影対象歯牙などによる保定基板１０の咬合は、図３で示すように撮影対象歯牙などが保定基板１０に直接接触した状態で行われる形態であってもよいし、高さ調節などのための部材を間に挟んだ状態で行われる形態（不図示）であってもよい。また、保定基板１０の保持は、被験者の咬合によって行われても良いが、ユニバーサルジョイント（自由継手）またはボールジョイントを介した指示棒（ユニバーサルジョイントなどを含む指示棒）１９を使って、被験者または歯科用口腔内Ｘ線撮影装置１の術者（使用者）が行う形態であってもよい（図４参照）。この場合、咬合をうまく行えない被験者でも、歯科用口腔内Ｘ線撮影装置１を口腔内に維持することが可能になる。なお、図４では、指示棒１９が、ユニバーサルジョイント（またはボールジョイント）を介して保定基板１０の本体部１１の底面に取り付けられた形態を説明するが、指示棒１９が、ユニバーサルジョイント（またはボールジョイント）を介して受光体保持部２０の背面に取り付けられる形態であってもよい（図９参照）。
【００５０】
なお、リーマーを取り付けた状態では、撮影対象歯牙で保定基板１０を咬合することが出来ないため、リーマーを避けるように、咬合時に撮影対象歯牙と対向する位置に切り欠き部（又は孔部）１８を設け、他の歯牙で咬合させるようにする形態も考えられる。
【００５１】
第１案内リング３０ａは、保定基板１０を介して、受光体保持部２０と対向する位置に設けられ、通常のＸ線画像を得るためのＸ線撮影におけるＸ線装置の位置決め、具体的には第１Ｘ線装置５０ａの照射口５１ａの位置決めに使用される。第１案内リング３０ａは、受光体保持部２０側から見て縦長の略楕円形状を有する。
【００５２】
第１案内リング３０ａは、保定基板１０の本体部１０の上方から見て、Ｘ線受光部２５の撮像面の中心を通り、撮像面に垂直な基準線ＬＰ上にあって、撮像面から第１距離（２００ｍｍ）だけ離れた位置にＸ線源ＬＳが配置されるように、Ｘ線源ＬＳを含む第１Ｘ線装置５０ａを位置決めするために使用される。
【００５３】
第１Ｘ線装置５０ａは、１つのＸ線光源ＬＳから照射口５１ａを介してＸ線を照射する装置であり、二次元のＸ線画像を得る場合に使用される。
【００５４】
第１Ｘ線装置５０ａの照射口５１ａは、Ｘ線源ＬＳから出射されるＸ線束の中心軸ＬＸに垂直な面を有する。
【００５５】
第１Ｘ線装置５０ａの照射口５１ａが、第１案内リング３０ａの所定の位置（基準位置に最も近い目盛り１４の目印線に対応した位置決め部３１の位置決め用目印に合わせた位置）に設置された場合に、上方から見て、Ｘ線源ＬＳから出射されるＸ線束の中心軸ＬＸが、Ｘ線受光部２５の撮像面の中心を通るように、第１案内リング３０ａは、側方から見て略円弧形状を有し、上方から見て直線形状を有する（図７参照）。
【００５６】
このため、保定基板１０の本体部１１の上方から見て、Ｘ線受光部２５の撮像面の中心を通り、撮像面に垂直な基準線ＬＰと、Ｘ線源ＬＳから出射されるＸ線束の中心軸ＬＸとが重なる位置関係で、照射口５１ａは、第１案内リング３０ａの近傍に配置されることになる。
【００５７】
第１案内リング３０ａの幅は、第１Ｘ線装置５０ａの照射口５１ａの直径と略同じである。
【００５８】
なお、側方から見て中心軸ＬＸと平行な直線状の第１指標５３ａを第１Ｘ線装置５０ａの側部に設け、かかる第１指標５３ａと第１案内リング３０ａの位置決め部３１の位置決め用目印とが一致させるようにすると、位置合わせが容易に行える。
【００５９】
第１案内リング３０ａの側部には、位置決め部３１が設けられる。位置決め部３１には、角度表示部１３の目盛り１４の目印線に対応する情報（複数の位置決め用目印）が記載される。対応関係にある目盛り１４の目印線と、位置決め部３１の位置決め用目印とは同じ色で示されるのが望ましい。
【００６０】
目盛り１４における目印線のうち保定基板１０の本体部１１に最も近いものに対応する位置決め用目印に合わせて設置したＸ線源ＬＳから出射されるＸ線束の中心軸ＬＸが、保定基板１０の本体部１１の側方から見て、受光体保持部２０に内蔵されたＸ線受光部２５の撮像面を含む面と撮影対象歯牙の歯軸との二等分面に略垂直にすることが出来るように、複数の位置決め用目印が位置決め部３１に設けられる。
【００６１】
本実施形態では、角度表示部１３の目盛り１４に設けられた７つの目印線に対応して、７つの位置決め用目印が位置決め部３１に設けられたものを示す。
【００６２】
角度θが小さい場合、すなわちＸ線受光部２５の撮像面が、保定基板１０の本体部１１と平行に近い状態の場合には、ガイド保持部１５から離れた位置決め用目印に対応する角度表示部１３の目盛り１４の目印線が基準位置に近くなる。
【００６３】
角度θが大きい場合、すなわちＸ線受光部２５の撮像面が、保定基板１０の本体部１１と垂直に近い状態の場合には、ガイド保持部１５に近い位置決め用目印に対応する角度表示部１３の目盛り１４の目印線が基準位置に近くなる。
【００６４】
第１案内リング３０ａは、リングの下部に設けられた第１取り付け部３３ａを介して、ガイド保持部１５に着脱可能な状態で保持される。ガイド保持部１５は、取り付け時に、第１案内リング３０ａの第１取り付け部３３ａを所定の位置に固定出来るようにするための位置決め部材や着脱可能な固定機構（不図示）を有しているのが望ましい。
【００６５】
第２案内リング３０ｂは、保定基板１０を介して、受光体保持部２０と対向する位置に設けられ、立体視用のＸ線画像を得るためのＸ線撮影におけるＸ線装置の位置決め、具体的には、第２Ｘ線装置５０ｂの第１照射口５１ｂ１、第２照射口５１ｂ２の位置決めに使用される。第２案内リング３０ｂは、受光体保持部２０側から見て縦長の略楕円形状を有する。
【００６６】
第２案内リング３０ｂは、保定基板１０の本体部１１の上方から見て、Ｘ線受光部２５の撮像面の中心を通り、前記撮像面に垂直な基準線ＬＰから第２距離（３０ｍｍ）だけ離れ、撮像面から第１距離（２００ｍｍ）だけ離れた第１位置Ｐ１に第１Ｘ線源ＬＳ１が配置され、基準線ＬＰを対称軸にして第１位置Ｐ１と線対称な第２位置Ｐ２に第２Ｘ線源ＬＳ２が配置されるように、第１Ｘ線源ＬＳ１と第２Ｘ線源ＬＳ２とを含む第２Ｘ線装置５０ｂを位置決めするために使用される。
【００６７】
第２Ｘ線装置５０ｂは、２つのＸ線光源（第１Ｘ線源ＬＳ１、第２Ｘ線源ＬＳ２）から照射口（第１照射口５１ｂ１、第２照射口５１ｂ２）を介して、Ｘ線を照射する装置であり、三次元のＸ線画像を得る場合に使用される。第１照射口５１ｂ１からＸ線を照射する第１Ｘ線源（電子管）ＬＳ１と、第２照射口５１ｂ２からＸ線を照射する第２Ｘ線源（電子管）ＬＳ２とは、人間の眼間距離とほぼ同じ６０ｍｍ（第２距離の２倍）程度離れた位置になるように配置され、第１Ｘ線光源ＬＳ１のターゲットから出射されたＸ線束の中心軸（第１中心軸ＬＸ１）と、第２Ｘ線源ＬＳ２のターゲットから出射されたＸ線束の中心軸（第２中心軸ＬＸ２）とは、それぞれの電子管から第１距離（２００ｍｍ）離れた位置、すなわち、第１照射口５１ｂ１と第２照射口５１ｂ２を、第２案内リング３０ｂ近傍に配置した場合に、Ｘ線受光部２５の近傍で交差するように、それぞれの照射口やＸ線源（電子管）の向きが設定される。
【００６８】
異なる位置（第１位置Ｐ１、第２位置Ｐ２）からのＸ線照射により、異なるＸ線画像を得ることが可能になり、これらのＸ線画像を組みあわせることにより立体的なＸ線画像を観察することが可能になる。Ｘ線束の軸（第１中心軸ＬＸ１、第２中心軸ＬＸ２）が第１距離（２００ｍｍ）だけ離れた位置で交差するように、第１Ｘ線源ＬＳ１、第２Ｘ線源ＬＳ２の向きを調整し、かかる交差位置に撮像面が来るようにして撮像すれば、Ｘ線受光部２５の撮像面から離れた所に不必要にＸ線が照射される可能性を低くすることも可能になる。
【００６９】
第１照射口５１ｂ１と第２照射口５１ｂ２とは連なっており、一つの孔を形成する。
【００７０】
第２Ｘ線装置５０ｂの第１照射口５１ｂ１は、第１Ｘ線源ＬＳ１から出射されるＸ線束の中心軸（第１中心軸ＬＸ１）に垂直な面を有し、第２照射口５１ｂ２は、第２Ｘ線源ＬＳ２から出射されるＸ線束の中心軸（第２中心軸ＬＸ２）に垂直な面を有する。
【００７１】
第２Ｘ線装置５０ｂの第１照射口５１ｂ１と第２照射口５１ｂ２が、第２案内リング３０ｂの所定の位置（基準位置に最も近い目盛り１４の目印線に対応した位置決め部３１の位置決め用目印に合わせた位置）に設置された場合に、上方から見て、第１Ｘ線源ＬＳ１から出射されるＸ線束の中心軸（第１中心軸ＬＸ１）と、第２Ｘ線源ＬＳ２から出射されるＸ線束の中心軸（第２中心軸ＬＸ２）が、ともにＸ線受光部２５の撮像面の中心を通るように、第２案内リング３０ｂは、側方から見て略円弧形状で、上方から見て第１照射口５１ｂ１や第２照射口５１ｂ２が接する側がＶ字形状を有する（図８参照）。
【００７２】
このため、第１照射口５１ｂ１、第２照射口５１ｂ２は、上方から見て、Ｘ線受光部２５の撮像面の中心を通り、撮像面に垂直な基準線ＬＰを対称軸とした線対称な位置関係で第２案内リング３０ｂの近傍に配置されることになる。
【００７３】
第２案内リング３０ｂの幅は、第１案内リング３０ａよりも広い。
【００７４】
なお、側方から見て第１中心軸ＬＸ１や第２中心軸ＬＸ２と平行な直線状の第２指標５３ｂを第２Ｘ線装置５０ｂの側部に設け、かかる第２指標５３ｂと第２案内リング３０ｂの位置決め部３１の位置決め用目印とが一致させるようにすると、位置合わせが容易に行える。
【００７５】
第２案内リング３０ｂの側部には、位置決め部３１が設けられる。位置決め部３１の内容は、第１案内リング３０ａの側部に設けられた位置決め部３１と同様である。位置決め部３１には、角度表示部１３の目盛り１４の目印線に対応する情報（複数の位置決め用目印）が記載される。対応関係にある目盛り１４の目印線と、位置決め部３１の位置決め用目印とは同じ色で示されるのが望ましい。
【００７６】
目盛り１４における目印線のうち保定基板１０の本体部１１に最も近いものに対応する位置決め用目印に合わせて設置した第２Ｘ線装置５０ｂの第１Ｘ線源ＬＳ１から出射されるＸ線束の中心軸（第１中心軸ＬＸ１）や、第２Ｘ線源ＬＳ２から出射されるＸ線束の中心軸（第２中心軸ＬＸ２）が、保定基板１０の本体部１１の側方から見て、受光体保持部２０に内蔵されたＸ線受光部２５の撮像面を含む面と撮影対象歯牙の歯軸との二等分面に略垂直にすることが出来るように、複数の位置決め用目印が位置決め部３１に設けられる。
【００７７】
本実施形態では、角度表示部１３の目盛り１４に設けられた７つの目印線に対応して、７つの位置決め用目印が位置決め部３１に設けられたものを示し、図３、図４、図９では、目盛り１４の７つの目印線のうち、真ん中の目印線が角度θを表す情報であるとし、位置決め部３１の７つの位置決め用目印のうち、真ん中の目印線に合わせて第２Ｘ線装置５０ｂの第１照射口５１ｂ１と第２照射口５１ｂ２を設置した状態を示す。
【００７８】
第２案内リング３０ｂは、リングの下部に設けられた第２取り付け部３３ｂを介して、ガイド保持部１５に着脱可能な状態で保持される。ガイド保持部１５は、取り付け時に、第２案内リング３０ａの第２取り付け部３３ｂを所定の位置に固定出来るようにするための位置決め部材や着脱可能な固定機構（不図示）を有しているのが望ましい。
【００７９】
第１取り付け部３３ａと第２取り付け部３３ｂが、同じ大きさの形状を有する場合には、かかる位置決め部材や固定機構を第１取り付け部３３ａ用と第２取り付け部３３ｂ用とで共通のものを使用することが出来る。
【００８０】
二次元のＸ線画像を取得する場合、第１取り付け部３３ａを介して、第１案内リング３０ａが、ガイド保持部１５に取り付けられ、第１案内リング３０ａが取り付けられた歯科用口腔内Ｘ線撮影装置１の受光体保持部２０を含む部分が、撮影対象歯牙を有する被験者の口腔内に挿入される。
【００８１】
被験者の口腔内の形状や、歯科用口腔内Ｘ線撮影装置１が挿入された位置などに基づいて、国腔内における受光体保持部２０と保定基板１０の本体部１１との位置関係が決定し、角度θが決定する。
【００８２】
歯科用口腔内Ｘ線撮影装置１の使用者は、角度表示部１３の目盛り１４を見て、基準位置に最も近い目印線を確認し、第１案内リング３０ａの位置決め部３１における当該目印線に対応する位置決め用目印に第１指標５３ａを合わせるようにして、第１Ｘ線装置５０ａの照射口５１ａを設置する。
【００８３】
第１Ｘ線装置５０ａのＸ線源ＬＳから照射口５１ａを介して、Ｘ線受光部２５に向けてＸ線の照射が行われている間に、パソコン７０または画像処理装置６０からの指示に基づいてＸ線受光部２５のＸ線撮像素子は、シンチレータで変換された可視光を撮像する（二次元撮像動作）。
【００８４】
二次元撮像動作に基づいてＸ線受光部２５から出力された画像信号は、ケーブル１６を介して、画像処理装置６０に送信され、画像処理装置６０で画像処理が施され、画像処理装置６０に接続されたパソコン７０のモニターや表示部４０に表示可能な二次元画像データにされる。
【００８５】
三次元のＸ線画像を取得する場合、第２取り付け部３３ｂを介して、第２案内リング３０ｂが、ガイド保持部１５に取り付けられ、第２案内リング３０ｂが取り付けられた歯科用口腔内Ｘ線撮影装置１の受光体保持部２０を含む部分が、撮影対象歯牙を有する被験者の口腔内に挿入される。
【００８６】
被験者の口腔内の形状や、歯科用口腔内Ｘ線撮影装置１が挿入された位置などに基づいて、国腔内における受光体保持部２０と保定基板１０の本体部１１との位置関係が決定し、角度θが決定する。
【００８７】
歯科用口腔内Ｘ線撮影装置１の使用者は、角度表示部１３の目盛り１４を見て、基準位置に最も近い目印線を確認し、第２案内リング３０ｂの位置決め部３１における当該目印線に対応する位置決め用目印に第２指標５３ｂを合わせるようにして、第２Ｘ線装置５０ｂの第１照射口５１ｂ１、第２照射口５１ｂ２を設置する。
【００８８】
第２Ｘ線装置５０ｂでは、第１Ｘ線源ＬＳ１によるＸ線照射と、第２Ｘ線源ＬＳ２によるＸ線照射とが順に行われる。
【００８９】
第２Ｘ線装置５０ｂの第１Ｘ線源ＬＳ１から、Ｘ線受光部２５に向けてＸ線の照射が行われている間に、パソコン７０または画像処理装置６０からの指示に基づいてＸ線受光部２５のＸ線撮像素子は、シンチレータで変換された可視光を撮像し（第１三次元撮像動作）、また、第２Ｘ線装置５０ｂの第２Ｘ線源ＬＳ２から、Ｘ線受光部２５に向けてＸ線の照射が行われている間に、パソコン７０または画像処理装置６０からの指示に基づいてＸ線受光部２５のＸ線撮像素子は、シンチレータで変換された可視光を撮像する（第２三次元撮像動作）。
【００９０】
第２Ｘ線装置５０ｂは、第１Ｘ線源ＬＳ１がＸ線を出射している状態と、第２Ｘ線源ＬＳ２がＸ線を出射している状態とを識別可能な情報を出力する出力装置を備えることが望ましい。例えば、第１Ｘ線源ＬＳ１のＸ線出射と第２Ｘ線源ＬＳ２のＸ線出射とを外部から識別出来るような表示部材（不図示）や、第２Ｘ線装置５０ｂとパソコン７０（または画像処理装置６０）にかかる情報を出力する信号送信部材が考えられる。信号送信部材を使った場合には、パソコン７０（または画像処理装置６０）が、第１Ｘ線源ＬＳ１や第２Ｘ線源ＬＳ２のＸ線出射が行われているか否かを認識し、パソコン７０（または画像処理装置６０）が、第１三次元撮像動作や第２三次元撮像動作のタイミングの制御が行えるメリットがある。
【００９１】
なお、本実施形態では、Ｘ線源を２つ有する第２Ｘ線装置５０ｂを使って、第１三次元撮像動作、及び第２三次元撮像動作を行う形態を説明するが、Ｘ線源を１つ有する第１Ｘ線装置５０ａを使い、第２案内リング３０ｂの一方の側部の位置決め部３１における位置決め用目印に第１Ｘ線装置５０ａの第１指標５３ａを合わせた状態で第１三次元撮像動作を行い、第２案内リング３０ｂの他方の側部の位置決め部３１における位置決め用目印に第１Ｘ線装置５０ａの第１指標５３ａを合わせた状態で第２三次元撮像動作を行う形態であってもよい。
【００９２】
第１三次元撮像動作に基づいてＸ線受光部２５から出力された画像信号は、ケーブル１６を介して、画像処理装置６０に送信され、画像処理装置６０で画像処理が施され、画像処理装置６０に接続されたパソコン７０のモニターや表示部４０に表示可能な第１三次元画像データにされ、第２三次元撮像動作に基づいてＸ線受光部２５から出力された画像信号は、ケーブル１６を介して、画像処理装置６０に送信され、画像処理装置６０で画像処理が施され、画像処理装置６０に接続されたパソコン７０のモニターや表示部４０に表示可能な第２三次元画像データにされる。
【００９３】
表示部４０は、Ｘ線受光部２５で得られたＸ線画像を表示する表示装置であり、保定基板１０の本体部１１に保持（固定）される。Ｘ線受光部２５で得られたＸ線画像は、画像処理装置６０に接続されたパソコン７０のモニターでも表示されるが、表示部４０を使うことにより、被験者に近い所で、被験者の撮影対象歯牙の撮像結果を見ることが可能になる。特に、画像処理で得られたＸ線画像を、一部が被験者の口腔内に挿入された歯科用口腔内Ｘ線撮影装置１の表示部４０に表示することが出来るため、パソコン７０のモニターで表示する形態に比べて、被験者や撮影対象歯牙を取り違える可能性を低くすることが出来る。
【００９４】
二次元のＸ線画像を表示する場合には、画像処理装置６０は、二次元画像データに基づくＸ線画像を、表示部４０やパソコン７０のモニターに表示させる。
【００９５】
三次元のＸ線画像を表示する場合には、画像処理装置６０は、第１三次元画像データに基づくＸ線画像と、第２三次元画像データに基づくＸ線画像とを、組みあわせて、表示部４０やパソコン７０のモニターに表示させる。２つのＸ線画像を組みあわせた表示方法は、以下のように幾つか挙げられ、それぞれの表示方法に応じて、画像処理方法が異なってくる。
【００９６】
具体的には、第１三次元画像データに基づくＸ線画像を赤の光で、第２三次元画像データに基づくＸ線画像を青の光で重ねた画像を表示させる。この場合、左右に赤と青のカラーフィルタのついた眼鏡をかけて画像を観察する。
【００９７】
また、第１三次元画像データに基づくＸ線画像、第２三次元画像データに基づくＸ線画像に偏光をかけた上で重ねた画像を表示させる。この場合、偏光眼鏡をかけて画像を観察する。
【００９８】
また、第１三次元画像データに基づくＸ線画像と、第２三次元画像データに基づくＸ線画像とを交互に表示させる。この場合、画像の切り替えタイミングと同期して左右の視界が交互に遮断される液晶シャッタを備えた眼鏡で画像を観察する。
【００９９】
また、第１三次元画像データに基づくＸ線画像と、第２三次元画像データに基づくＸ線画像とを横に並べて表示させる。この場合、眼鏡を用いず、平行法や交差法を使って、両画像を観察する。
【０１００】
本実施形態の場合には、歯牙を撮影対象とするため、表示部４０は、縦長の状態で保定基板１０に取り付けられるのが望ましい。但し、第１三次元画像データに基づくＸ線画像と、第２三次元画像データに基づくＸ線画像とを横に並べて表示させる場合には、横長の状態で保定基板に取り付けられるのが望ましい。このため、三次元のＸ線画像を表示させる方式に応じて、縦長の取り付け状態と横長の取り付け状態とが切り替え可能な状態で、表示部４０が保定基板１０に取り付けられる形態であってもよい。
【０１０１】
本実施形態では、保定基板１０のガイド保持部１５が保持し、Ｘ線装置の照射口の位置決めのために使用される２種類の案内リング（第１案内リング３０ａ、第２案内リング３０ｂ）が、保定基板１０のガイド保持部１５に、着脱による取り替え可能な状態で、保持される。
【０１０２】
第１案内リング３０ａがガイド保持部１５に取り付けられた場合には、第１案内リング３０ａに沿って第１Ｘ線装置５０ａを配置することにより、Ｘ線受光部２５の撮像面に対してほぼ正面に第１Ｘ線装置５０ａの照射口５１ａを位置させることが可能になる。
【０１０３】
また、基準位置（例えば、保定基板１０の本体部１０）に一番近い目印線に対応する位置決め部３１の位置決め用目印に合わせて、第１Ｘ線装置５０ａの照射口５１ａを配置すれば、第１Ｘ線装置５０ａのＸ線源ＬＳから出射されるＸ線束の中心軸ＬＸが、側方から見て、受光体保持部２０に内蔵されたＸ線受光部２５の撮像面を含む面と撮影対象歯牙の歯軸との二等分面に略垂直にすることが出来、二等分面撮影法により、実長に近い状態で撮影対象歯牙のＸ線画像を得ることが可能になる。
【０１０４】
第２案内リング３０ｂがガイド保持部１５に取り付けられた場合には、第２案内リング３０ｂに沿って第２Ｘ線装置５０ｂを配置することにより、Ｘ線受光部２５の撮像面に対して斜め前方の２個所に第２Ｘ線装置５０ｂの第１照射口５１ｂ１と第２照射口５１ｂ２を位置させることが可能になる。
【０１０５】
また、基準位置（例えば、保定基板１０の本体部１０）に一番近い目印線に対応する位置決め部３１の位置決め用目印に合わせて、第２Ｘ線装置５０ｂの第１照射口５１ｂ１、第２照射口５１ｂ２を配置すれば、第２Ｘ線装置５０ｂの第１Ｘ線源ＬＳ１や第２Ｘ線源ＬＳ２から出射されるＸ線束の中心軸（第１中心軸ＬＸ１、第２中心軸ＬＸ２）が、側方から見て、受光体保持部２０に内蔵されたＸ線受光部２５の撮像面を含む面と撮影対象歯牙の歯軸との二等分面に略垂直にすることが出来、二等分面撮影法により、実長に近い状態で撮影対象歯牙のＸ線画像を得ることが可能になる。
【０１０６】
また、第１Ｘ線源ＬＳ１から出射されたＸ線に基づくＸ線画像と、第２Ｘ線源ＬＳ２から出射されたＸ線に基づくＸ線画像とを重ね合わせて表示したものとを、偏光眼鏡などを使って観察したり、並べて表示したものを観察したりすることにより、立体的なＸ線画像を観察することが可能になる。
【０１０７】
また、基準スケール２６も撮影対象歯牙と共に撮像されて、Ｘ線画像に含まれるため、Ｘ線画像に含まれる基準スケール２６の画像と比べながら、撮影対象歯牙等の実長を知ることも可能になる。
【０１０８】
なお、本実施形態では、二等分面撮影法を考慮して、すなわち、Ｘ線束の中心軸ＬＸ（または、第１中心軸ＬＸ１や第２中心軸ＬＸ２）が、側方から見て、受光体保持部２０に内蔵されたＸ線受光部２５の撮像面を含む面と撮影対象歯牙の歯軸との二等分面に略垂直になるように、第１案内リング３０ａや第２案内リング３０ｂの側部の形状や、位置決め部３１の位置決め用目印が決定される形態を説明したが、他の撮影法を考慮してこれらを決定する形態であってもよい。
【０１０９】
例えば、Ｘ線束の中心軸ＬＸ（または、第１中心軸ＬＸ１や第２中心軸ＬＸ２）が、側方から見て、受光体保持部２０に内蔵されたＸ線受光部２５の撮像面を含む面に略垂直になるように、第１案内リング３０ａや第２案内リング３０ｂの側部の形状や、位置決め部３１の位置決め用目印が決定される形態であってもよい。
【０１１０】
また、本実施形態では、受光体保持部２０が、Ｘ線受光部２５を内蔵する形態を説明したが、内蔵せずに外部でＸ線受光部２５を保持する形態であってもよい。
【０１１１】
また、本実施形態では、受光体保持部２０と保定基板１０の本体部１１とのなす角度θが変化し、これを角度表示部１３を使って口腔外に表示する形態を説明したが、受光体保持部２０が保定基板１０の本体部１１に固定され、角度θが固定されたものであってもよい。この場合は、回転軸１２や角度表示部１３は不要になり、第１案内リング３０ａや第２案内リング３０ｂの位置決め部３１は、固定的な角度θに対応した最適な位置決め用目印だけを有する形態になる。
【０１１２】
なお、第１Ｘ線装置５０ａなどを使った撮影時は、被験者の口腔内に挿入される部分（保定基板１０の一部、及びＸ線受光部２５が内蔵された受光体保持部２０）が、防水カバーで被覆された状態で、被験者の口腔内に挿入されるのが望ましい（不図示）。この場合は、受光体保持部２０と、保定基板１０との連結部への被験者の唾液などの侵入を防止することが出来る上、保定基板１０、受光体保持部２０などの洗浄を行わなくても、防水カバーを取り換えるだけで、他の被験者への使用が可能になるメリットがある。
【０１１３】
また、Ｘ線受光部２５と画像処理装置６０との電気的な接続は、保定基板１０の内部に設けられたケーブル１６を介して行われるため、ケーブルなどの電気部材が被験者の口腔内と接触する機会を減らすことが可能になる。
【０１１４】
なお、Ｘ線受光部２５や表示部４０への電力供給は、ケーブル１６を介して、画像処理装置６０から行われる形態を説明したが、他の電源による電力供給であってもよい。例えば、保定基板１０上に設けられた電池または太陽電池などの発電装置によって電力供給される形態が考えられる。保定基板１０には、被験者の口腔内に挿入されない領域に、太陽電池の受光パネルを配置することが可能であり、Ｘ線撮影は室内照明光が点灯した状態で行われることが多いため、該照明光を使った発電に基づいて、Ｘ線受光部２５や表示部４０に電力を供給することは可能である。特に、Ｘ線撮影では、撮影前後だけ、Ｘ線撮像素子を駆動したり、表示部４０の画像表示を行ったりすれば良いため、デジタルカメラのライブビュー表示や測光、測距動作のように、撮影時以外に電力消費を行う必要性が少なく、照明光によって発電された電力を二次電池などに蓄電せずに、Ｘ線撮像素子などを駆動することが出来る。
【０１１５】
太陽電池などの発電装置を使った場合には、交流電源を用いずに、Ｘ線撮像素子などへ電力供給が出来るため、交流電源を使い直流に変換した後にＸ線撮像素子などへ電力供給する形態に比べてノイズ重畳を抑えることも可能になる。
【０１１６】
また、この場合、Ｘ線受光部２５から画像処理装置６０への画像信号の送信、画像処理装置６０からＸ線受光部２５への制御信号の送信が、ケーブル１６を介さずに、Ｂｌｕｅｔｏｏｔｈなどの無線によって行われると、歯科用口腔内Ｘ線撮影装置１と画像処理装置６０との間にケーブルを介さない信号送受信が可能になる。
【０１１７】
また、画像処理装置６０は、パソコン７０と別体のものであってもよいが、パソコン７０のソフトウエア上で画像処理が行われる形態であってもよい。また、画像処理装置６０は、保定基板１０の内部に内蔵させる形態であってもよい。
【符号の説明】
【０１１８】
１  歯科用口腔内Ｘ線撮影装置
１０  保定基板
１１  本体部
１２  回転軸
１３  角度表示部
１４  目盛り
１５  ガイド保持部
１６  ケーブル
１８  切り欠き部
１９  ユニバーサルジョイント（又はボールジョイント）を介した指示棒
２０  受光体保持部
２５  Ｘ線受光部
２６  基準スケール
３０ａ、３０ｂ  第１案内リング、第２案内リング
３１  位置決め部
３３ａ、３３ｂ  第１取り付け部、第２取り付け部
４０  表示部
５０ａ、５０ｂ  第１Ｘ線装置、第２Ｘ線装置
５１ａ、５１ｂ１、５１ｂ２  照射口、第１照射口、第２照射口
５３ａ、５３ｂ  第１指標、第２指標
６０  画像処理装置
７０  パソコン
ＬＸ、ＬＸ１、ＬＸ２  中心軸、第１中心軸、第２中心軸
ＬＰ  上方から見て、Ｘ線受光部の撮像面の中心を通り、撮像面に垂直な線
ＬＳ、ＬＳ１、ＬＳ２  Ｘ線源、第１Ｘ線源、第２Ｘ線源
【図１】
2012026065.tif 000003
【図２】
2012026065.tif 000004
【図３】
2012026065.tif 000005
【図４】
2012026065.tif 000006
【図５】
2012026065.tif 000007
【図６】
2012026065.tif 000008
【図７】
2012026065.tif 000009
【図８】
2012026065.tif 000010
【図９】
2012026065.tif 000011
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
保定基板と、
Ｘ線装置を使った撮影時に、前記保定基板の口腔内に挿入される部分の端部に設けられ、Ｘ線撮像素子を有するＸ線受光部を保持する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含む第１Ｘ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に第１Ｘ線源が配置され、前記基準線を対称軸にして前記第１位置と線対称な第２位置に第２Ｘ線源が配置されるように、前記第１Ｘ線源と前記第２Ｘ線源とを含む第２Ｘ線装置を位置決めするために使用される第２案内部とを備え、
前記第１案内部、前記第２案内部は、前記保定基板から着脱による取り替え可能な状態で、前記保定基板に保持され、
前記保定基板と前記受光体保持部の少なくとも一方が、ユニバーサルジョイント又はボールジョイントを介した指示棒によって、保持されることを特徴とする歯科用口腔内Ｘ線撮影装置。
【請求項２】
前記保定基板に保持され、前記Ｘ線受光部で得られたＸ線画像を表示する表示部を更に備え、
前記第１案内部が前記保定基板に保持されている場合は、前記Ｘ線源から前記Ｘ線受光部に向けてＸ線の照射が行われている間に、前記Ｘ線受光部は撮像動作を行い、前記表示部は、前記撮像動作で得られたＸ線画像を表示し、
前記第２案内部が前記保定基板に保持されている場合は、前記第１Ｘ線源から前記Ｘ線受光部に向けてＸ線の照射が行われている間に、前記Ｘ線受光部は第１撮像動作を行い、前記第２Ｘ線源から前記Ｘ線受光部に向けてＸ線の照射が行われている間に、前記Ｘ線受光部は第２撮像動作を行い、前記表示部は、前記第１撮像動作で得られた第１Ｘ線画像と前記第２撮像動作で得られた第２Ｘ線画像とを組みあわせて表示することを特徴とする請求項１に記載の歯科用口腔内Ｘ線撮影装置。
【請求項３】
（削除）
【請求項４】
前記受光体保持部は、前記保定基板の口腔内に挿入される部分の端部において、前記保定基板とのなす角度が変更可能な状態で前記保定基板に保持され、
前記保定基板は、前記角度に関する情報を表示する角度表示部を有し、
前記角度表示部は、前記受光体保持部が口腔内に挿入された時に、前記角度に関する情報が口腔外に見える位置に設けられ、
前記第１案内部と前記第２案内部は、前記角度に関する情報に対応したＸ線照射口の位置決め用目印を二以上含む位置決め部を有することを特徴とする請求項１に記載の歯科用口腔内Ｘ線撮影装置。
【請求項５】
前記二以上の位置決め用目印のうち、前記角度に関する情報に対応する位置決め用目印に合わせて前記第１Ｘ線装置を設置した場合に、前記Ｘ線源から出射されるＸ線束の中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられ、
前記二以上の位置決め用目印のうち、前記角度に関する情報に対応する位置決め用目印に合わせて前記第２Ｘ線装置を設置した場合に、前記第１Ｘ線源から出射されるＸ線束の第１中心軸、及び前記第２Ｘ線源から出射されるＸ線束の第２中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられることを特徴とする請求項４に記載の歯科用口腔内Ｘ線撮影装置。
【請求項６】
前記保定基板は、前記Ｘ線受光部に電力を供給する太陽電池と、制御信号の受信や前記Ｘ線受光部で得られた画像信号の送信を行う通信部とを有し、
前記太陽電池の受光部は、前記撮影時に被験者の口腔内に挿入されない領域に配置されることを特徴とする請求項１に記載の歯科用口腔内Ｘ線撮影装置。
【請求項７】
前記受光体保持部の上面及び前面の上部は、ゴムで構成されることを特徴とする請求項１に記載の歯科用口腔内Ｘ線撮影装置。
【請求項８】
前記保定基板は、前記撮影時に撮影対象歯牙と対向する位置に孔部、または切り欠き部を有することを特徴とする請求項１に記載の歯科用口腔内Ｘ線撮影装置。
【請求項９】
保定基板と、
Ｘ線装置を使った撮影時に、前記保定基板の口腔内に挿入される部分の端部に設けられ、Ｘ線撮像素子を有するＸ線受光部を内蔵する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含むＸ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に前記Ｘ線源が配置されるように、前記Ｘ線装置を位置決めするために使用される第２案内部とを備え、
前記第１案内部、前記第２案内部は、前記保定基板から着脱による取り替え可能な状態で、前記保定基板に保持され、
前記第２案内部は、前記基準線を対称軸にして前記第１位置と線対称な第２位置に前記Ｘ線源が配置されるように、前記Ｘ線装置を位置決めするためにも使用され、
前記保定基板と前記受光体保持部の少なくとも一方が、ユニバーサルジョイント又はボールジョイントを介した指示棒によって、保持されることを特徴とする歯科用口腔内Ｘ線撮影装置。
【請求項１０】
第１Ｘ線源と、前記第１Ｘ線源と離れた位置にある第２Ｘ線源とを有し、前記第１Ｘ線源から出射されたＸ線束の第１中心軸と、前記第２Ｘ線源から出射されたＸ線束の第２中心軸とが、前記第１Ｘ線源、及び前記第２Ｘ線源から第１距離だけ離れた位置で交差するように、前記第１Ｘ線源と前記第２Ｘ線源が配置され、前記第１Ｘ線源によるＸ線の照射と、前記第２Ｘ線源によるＸ線の照射とが順に行われる歯科用口腔内Ｘ線撮影に使用されるＸ線装置と、
保定基板と、前記Ｘ線装置を使った撮影時に、前記保定基板の口腔内に挿入される部分の端部に設けられ、Ｘ線撮像素子を有するＸ線受光部を保持する受光体保持部と、前記受光体保持部と対向する位置に前記保定基板を介して設けられ、前記保定基板の上方から見て、基準線から第２距離だけ離れ、前記撮像面から前記第１距離だけ離れた第１位置に前記第１Ｘ線源が配置され、前記基準線を対称軸にして前記第１位置と線対称な第２位置に前記第２Ｘ線源が配置されるように、前記第２Ｘ線装置を位置決めするために使用される案内部とを有し、前記案内部は、前記保定基板から着脱可能な状態で、前記保定基板に保持され、前記保定基板と前記受光体保持部の少なくとも一方が、ユニバーサルジョイント又はボールジョイントを介した指示棒によって、保持される歯科用口腔内Ｘ線撮影装置とを備え、
前記基準線は、前記保定基板の上方から見て、前記Ｘ線受光部の撮像面の中心を通り、前記撮像面に垂直であることを特徴とする歯科用口腔内Ｘ線撮影システム。
【請求項１１】
前記第２Ｘ線装置は、前記第１Ｘ線源がＸ線を出射している状態と、前記第２Ｘ線源がＸ線を出射している状態とを識別可能な情報を出力する出力部を更に有することを特徴とする請求項１０に記載の歯科用口腔内Ｘ線撮影システム。
【請求項１２】
（削除）
【請求項１３】
（削除）
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
保定基板と、
Ｘ線装置を使った撮影時に、前記保定基板の口腔内に挿入される部分の端部に設けられ、Ｘ線撮像素子を有するＸ線受光部を保持する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含む第１Ｘ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に第１Ｘ線源が配置され、前記基準線を対称軸にして前記第１位置と線対称な第２位置に第２Ｘ線源が配置されるように、前記第１Ｘ線源と前記第２Ｘ線源とを含む第２Ｘ線装置を位置決めするために使用される第２案内部とを備え、
前記第１案内部、前記第２案内部は、前記保定基板から着脱による取り替え可能な状態で、前記保定基板に保持され、
前記保定基板と前記受光体保持部の少なくとも一方が、ユニバーサルジョイント又はボールジョイントを介した指示棒によって、保持されるものであり、
前記第２案内部の前記第２Ｘ線装置と対向する開口は、前記第１案内部の前記第１Ｘ線装置と対向する開口よりも横長であり、
前記受光体保持部は、前記保定基板の口腔内に挿入される部分の端部において、前記保定基板とのなす角度が変更可能な状態で前記保定基板に保持され、
前記第１案内部と前記第２案内部は、前記角度に関する情報に対応したＸ線照射口の位置決め用目印を二以上含む位置決め部を有することを特徴とする歯科用口腔内Ｘ線撮影装置。
【請求項２】
前記保定基板に保持され、前記Ｘ線受光部で得られたＸ線画像を表示する表示部を更に備え、
前記第１案内部が前記保定基板に保持されている場合は、前記Ｘ線源から前記Ｘ線受光部に向けてＸ線の照射が行われている間に、前記Ｘ線受光部は撮像動作を行い、前記表示部は、前記撮像動作で得られたＸ線画像を表示し、
前記第２案内部が前記保定基板に保持されている場合は、前記第１Ｘ線源から前記Ｘ線受光部に向けてＸ線の照射が行われている間に、前記Ｘ線受光部は第１撮像動作を行い、前記第２Ｘ線源から前記Ｘ線受光部に向けてＸ線の照射が行われている間に、前記Ｘ線受光部は第２撮像動作を行い、前記表示部は、前記第１撮像動作で得られた第１Ｘ線画像と前記第２撮像動作で得られた第２Ｘ線画像とを組みあわせて表示することを特徴とする請求項１に記載の歯科用口腔内Ｘ線撮影装置。
【請求項３】
前記保定基板は、前記角度に関する情報を表示する角度表示部を有し、
前記角度表示部は、前記受光体保持部が口腔内に挿入された時に、前記角度に関する情報が口腔外に見える位置に設けられることを特徴とする請求項１に記載の歯科用口腔内Ｘ線撮影装置。
【請求項４】
前記二以上の位置決め用目印のうち、前記角度に関する情報に対応する位置決め用目印に合わせて前記第１Ｘ線装置を設置した場合に、前記Ｘ線源から出射されるＸ線束の中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられ、
前記二以上の位置決め用目印のうち、前記角度に関する情報に対応する位置決め用目印に合わせて前記第２Ｘ線装置を設置した場合に、前記第１Ｘ線源から出射されるＸ線束の第１中心軸、及び前記第２Ｘ線源から出射されるＸ線束の第２中心軸が、前記保定基板の側方から見て、前記Ｘ線受光部の撮像面を含む面と撮影対象歯牙の歯軸との二等分面に略垂直にすることが出来るように、前記二以上の位置決め用目印が前記位置決め部に設けられることを特徴とする請求項３に記載の歯科用口腔内Ｘ線撮影装置。
【請求項５】
前記保定基板は、前記Ｘ線受光部に電力を供給する太陽電池と、制御信号の受信や前記Ｘ線受光部で得られた画像信号の送信を行う通信部とを有し、
前記太陽電池の受光部は、前記撮影時に被験者の口腔内に挿入されない領域に配置されることを特徴とする請求項１に記載の歯科用口腔内Ｘ線撮影装置。
【請求項６】
前記受光体保持部の上面及び前面の上部は、ゴムで構成されることを特徴とする請求項１に記載の歯科用口腔内Ｘ線撮影装置。
【請求項７】
前記保定基板は、前記撮影時に撮影対象歯牙と対向する位置に孔部、または切り欠き部を有することを特徴とする請求項１に記載の歯科用口腔内Ｘ線撮影装置。
【請求項８】
保定基板と、
Ｘ線装置を使った撮影時に、前記保定基板の口腔内に挿入される部分の端部に設けられ、Ｘ線撮像素子を有するＸ線受光部を内蔵する受光体保持部と、
前記受光体保持部と対向する位置に前記保定基板を介して設けられ、前記保定基板の上方から見て、前記Ｘ線受光部の撮像面の中心を通り、前記撮像面に垂直な基準線上にあって、前記撮像面から第１距離だけ離れた位置にＸ線源が配置されるように、前記Ｘ線源を含むＸ線装置を位置決めするために使用される第１案内部と、
前記受光体保持部と対向する位置に前記保定基板を介して設けられ、前記保定基板の上方から見て、前記基準線から第２距離だけ離れ、前記撮像面から前記第１距離だけ離れた第１位置に前記Ｘ線源が配置されるように、前記Ｘ線装置を位置決めするために使用される第２案内部とを備え、
前記第１案内部、前記第２案内部は、前記保定基板から着脱による取り替え可能な状態で、前記保定基板に保持され、
前記第２案内部は、前記基準線を対称軸にして前記第１位置と線対称な第２位置に前記Ｘ線源が配置されるように、前記Ｘ線装置を位置決めするためにも使用され、
前記保定基板と前記受光体保持部の少なくとも一方が、ユニバーサルジョイント又はボールジョイントを介した指示棒によって、保持されものであり、
前記第２案内部の前記Ｘ線装置と対向する開口は、前記第１案内部の前記Ｘ線装置と対向する開口よりも横長であり、
前記受光体保持部は、前記保定基板の口腔内に挿入される部分の端部において、前記保定基板とのなす角度が変更可能な状態で前記保定基板に保持され、
前記第１案内部と前記第２案内部は、前記角度に関する情報に対応したＸ線照射口の位置決め用目印を二以上含む位置決め部を有することを特徴とする歯科用口腔内Ｘ線撮影装置。
【請求項９】
第１Ｘ線源と、前記第１Ｘ線源と離れた位置にある第２Ｘ線源とを有し、前記第１Ｘ線源から出射されたＸ線束の第１中心軸と、前記第２Ｘ線源から出射されたＸ線束の第２中心軸とが、前記第１Ｘ線源、及び前記第２Ｘ線源から第１距離だけ離れた位置で交差するように、前記第１Ｘ線源と前記第２Ｘ線源が配置され、前記第１Ｘ線源によるＸ線の照射と、前記第２Ｘ線源によるＸ線の照射とが順に行われる歯科用口腔内Ｘ線撮影に使用されるＸ線装置と、
保定基板と、前記Ｘ線装置を使った撮影時に、前記保定基板の口腔内に挿入される部分の端部に設けられ、Ｘ線撮像素子を有するＸ線受光部を保持する受光体保持部と、前記受光体保持部と対向する位置に前記保定基板を介して設けられ、前記保定基板の上方から見て、基準線から第２距離だけ離れ、前記撮像面から前記第１距離だけ離れた第１位置に前記第１Ｘ線源が配置され、前記基準線を対称軸にして前記第１位置と線対称な第２位置に前記第２Ｘ線源が配置されるように、前記Ｘ線装置を位置決めするために使用される案内部とを有し、前記案内部は、前記保定基板から着脱可能な状態で、前記保定基板に保持され、前記保定基板と前記受光体保持部の少なくとも一方が、ユニバーサルジョイント又はボールジョイントを介した指示棒によって、保持されものであり、前記案内部は、前記第１Ｘ線源の照射口と前記第２Ｘ線源の照射口の両方と対向する開口を有し、前記受光体保持部は、前記保定基板の口腔内に挿入される部分の端部において、前記保定基板とのなす角度が変更可能な状態で前記保定基板に保持され、前記案内部は、前記角度に関する情報に対応したＸ線照射口の位置決め用目印を二以上含む位置決め部を有する歯科用口腔内Ｘ線撮影装置とを備え、
前記基準線は、前記保定基板の上方から見て、前記Ｘ線受光部の撮像面の中心を通り、前記撮像面に垂直であることを特徴とする歯科用口腔内Ｘ線撮影システム。
【請求項１０】
前記Ｘ線装置は、前記第１Ｘ線源がＸ線を出射している状態と、前記第２Ｘ線源がＸ線を出射している状態とを識別可能な情報を出力する出力部を更に有することを特徴とする請求項９に記載の歯科用口腔内Ｘ線撮影システム。
【国際調査報告】
2012026065.tif 000012
2012026065.tif 000013
2012026065.tif 000014
2012026065.tif 000015
2012026065.tif 000016
2012026065.tif 000017
2012026065.tif 000018